(57)【要約】【課題】防食剤を塗布する工程を省略することにより製造コストを抑えることができるとともに、防食性能に優れる端子付き電線を提供する。【解決手段】端子金具１４には一端が封止され他端が開口された筒状の電線接続部２２を有するものを用い、端末に導体露出部１８ａを有する被覆電線１２の導体露出部１８ａに隣接する絶縁被覆２０ａの外周面に管状の止水部材１６を密着させた状態で、管状の止水部材１６の軸方向の少なくとも一部が全周に渡って電線接続部２２に圧入されるまで被覆電線１２の端末を電線接続部２２の開口側から挿入して、電線接続部２２の内側に導体露出部１８ａと導体露出部１８ａに隣接する絶縁被覆２０ａとを収容するとともに、管状の止水部材１６の少なくとも一部が全周に渡って電線接続部２２の内周面に密着されるようにする。【選択図】図１
2012094307.tif 000002
【特許請求の範囲】
【請求項１】
端末に導体露出部を有する被覆電線と、
一端が封止され他端が開口された筒状の電線接続部を有する端子金具と、
管状の止水部材と、を備え、
前記管状の止水部材が前記被覆電線の前記導体露出部に隣接する絶縁被覆の外周面に密着された状態で、該管状の止水部材の軸方向の少なくとも一部が全周に渡って前記電線接続部に圧入されるまで前記被覆電線の端末が前記電線接続部の開口側から挿入されて、前記電線接続部の内側に前記導体露出部と該導体露出部に隣接する絶縁被覆とが収容されるとともに、前記管状の止水部材の軸方向の少なくとも一部が全周に渡って前記電線接続部の内周面に密着されていることを特徴とする端子付き電線。
【請求項２】
前記管状の止水部材の外周面には突部が形成されており、該突部の手前まで、あるいは、該突部まで、前記管状の止水部材が全周に渡って前記電線接続部に圧入されていることを特徴とする請求項１に記載の端子付き電線。
【請求項３】
前記管状の止水部材の後端には、前記端子付き電線の端子金具を収容するハウジングのキャビティの開口部を封鎖する封鎖部が延設形成されていることを特徴とする請求項１または２に記載の端子付き電線。
【請求項４】
前記管状の止水部材は、軸方向の先端側と後端側とで色彩が異なるように二色成形されたものであり、色彩の境界線の手前まで、あるいは、色彩の境界線まで、前記管状の止水部材が全周に渡って前記電線接続部に圧入されていることを特徴とする請求項１に記載の端子付き電線。
【請求項５】
前記管状の止水部材は内層と外層の２層で構成されており、内層の内周面よりも外層の外周面の摩擦係数が小さいことを特徴とする請求項１から４のいずれかに記載の端子付き電線。
【請求項６】
前記管状の止水部材の内周面には、全周に渡って連続する突条が形成されていることを特徴とする請求項１から５のいずれかに記載の端子付き電線。
【発明の詳細な説明】
【技術分野】
【０００１】
本発明は、端子付き電線に関し、さらに詳しくは、自動車等の車両に好適に用いられ、防水性能に優れる端子付き電線に関する。
【背景技術】
【０００２】
一般に、端子付き電線は、端末で被覆電線の絶縁被覆が皮剥されて露出された導体に端子金具を接続することにより作製されている。端子金具には、露出された導体に圧着される一対の圧着片を備えたものがあり、露出された導体の外周を一対の圧着片で包むように覆ってこれを加締めることにより導体と端子金具が接続されている。
【０００３】
この場合、導体が加締められている部分よりも先端側の導体や、導体が加締められている部分と絶縁被覆との間の導体は圧着片で覆われていないため、導体と端子金具との接触部は露出されている状態にある。この接触部に水が進入すると、腐食が生じやすくなる。
【０００４】
近年、自動車等の車両の軽量化を図るなどの目的で、導体にはアルミ材が用いられることがある。一般に、端子金具には銅材が用いられるため、この場合には、導体と端子金具とは異種金属で構成されることになる。異種金属で構成される接触部に水が進入すると、局部電池が形成され、電解腐食が生じやすくなる。すなわち、このように接触部が異種金属で構成される場合には、特に腐食が生じやすくなる。
【０００５】
そこで、このような腐食の発生を防止するため、導体と端子金具との接触部を覆って保護する防食剤が塗布されることがある。例えば特許文献１には、異種金属からなる電線と端子の接触部において、導体露出部分に樹脂を塗布してこれを覆うことが記載されている。
【先行技術文献】
【特許文献】
【０００６】
【特許文献１】特開２０１０−１０８７９８号公報
【発明の概要】
【発明が解決しようとする課題】
【０００７】
しかしながら、特許文献１のように、導体と端子金具との接触部に防食剤を塗布することにより接触部の腐食を防止する方法では、導体と端子金具との接触部に防食剤を塗布する工程が、導体に端子金具を圧着する工程とは別工程となるため、製造コストが増大する問題があった。そのため、防食剤を塗布する工程を省略できる防食対策が望まれている。
【０００８】
本発明が解決しようとする課題は、防食剤を塗布する工程を省略することにより製造コストを抑えることができるとともに、防食性能に優れる端子付き電線を提供することにある。
【課題を解決するための手段】
【０００９】
上記課題を解決するため本発明に係る端子付き電線は、端末に導体露出部を有する被覆電線と、一端が封止され他端が開口された筒状の電線接続部を有する端子金具と、管状の止水部材と、を備え、前記管状の止水部材が前記被覆電線の前記導体露出部に隣接する絶縁被覆の外周面に密着された状態で、該管状の止水部材の軸方向の少なくとも一部が全周に渡って前記電線接続部に圧入されるまで前記被覆電線の端末が前記電線接続部の開口側から挿入されて、前記電線接続部の内側に前記導体露出部と該導体露出部に隣接する絶縁被覆とが収容されるとともに、前記管状の止水部材の軸方向の少なくとも一部が全周に渡って前記電線接続部の内周面に密着されていることを要旨とするものである。
【００１０】
この際、前記管状の止水部材の外周面には突部が形成されており、該突部の手前まで、あるいは、該突部まで、前記管状の止水部材が全周に渡って前記電線接続部に圧入されていることが望ましい。
【００１１】
また、前記管状の止水部材の後端には、前記端子付き電線の端子金具を収容するハウジングのキャビティの開口部を封鎖する封鎖部が延設形成されていることが望ましい。
【００１２】
また、前記管状の止水部材は、軸方向の先端側と後端側とで色彩が異なるように二色成形されたものであり、色彩の境界線の手前まで、あるいは、色彩の境界線まで、前記管状の止水部材が全周に渡って前記電線接続部に圧入されていても良い。
【００１３】
また、前記管状の止水部材は内層と外層の２層で構成されており、内層の内周面よりも外層の外周面の摩擦係数が小さいことが好ましい。
【００１４】
また、前記管状の止水部材の内周面には、全周に渡って連続する突条が形成されていることが好ましい。
【発明の効果】
【００１５】
本発明に係る端子付き電線によれば、端子金具の筒状の電線接続部の内側で、端子金具と被覆電線の導体露出部との接触が図られている。そして、導体露出部の先端が配置される筒状の電線接続部の一端は封止されているため、電線接続部の先端からの電線接続部の内側への水の進入が防止されている。また、筒状の電線接続部の開口された他端では、導体露出部に隣接する絶縁被覆の外周面に密着された管状の止水部材の軸方向の少なくとも一部が全周に渡って電線接続部の内周面に密着されているため、電線接続部の後端からの電線接続部の内側への水の進入も防止されている。このような構造により、端子金具と被覆電線の導体との接触部への水の進入が抑えられているため、接触部の腐食を防止する効果に優れる。また、防食剤を塗布するものではないため、防食剤を塗布する工程を省略することにより製造コストを抑えることができる。
【００１６】
この際、管状の止水部材の外周面に突部が形成されていれば、この突部を被覆電線の端末の電線接続部への挿入長さを決定する目印にして、管状の止水部材が密着された被覆電線の電線接続部内への挿入長さを決定することができる。そして、この突部の手前まで、あるいは、この突部まで、管状の止水部材が全周に渡って電線接続部に圧入されることにより、管状の止水部材の外周面と電線接続部の内周面とが確実に密着していることを確認できる。これにより、確実に、電線接続部の内側への水の進入を防止できる。
【００１７】
また、管状の止水部材の後端に、端子付き電線の端子金具を収容するハウジングのキャビティの開口部を封鎖する封鎖部が延設形成されていれば、この端子付き電線の端子をハウジングのキャビティに挿入することで、ハウジングの内側への水の進入も同時に防止できるため、二重の防水構造により、電線接続部の内側への水の進入を防止する効果をさらに高めることができる。
【００１８】
また、管状の止水部材が、軸方向の先端側と後端側とで色彩が異なるように二色成形されたものであれば、色彩の境界線を、被覆電線の端末の電線接続部への挿入長さを決定する目印にして、管状の止水部材が密着された被覆電線の電線接続部内への挿入長さを決定することができる。そして、この色彩の境界線の手前まで、あるいは、この色彩の境界線まで、管状の止水部材が全周に渡って前記電線接続部に圧入されることにより、管状の止水部材の外周面と電線接続部の内周面とが確実に密着していることを確認できる。これにより、確実に、電線接続部の内側への水の進入を防止できる。
【００１９】
また、管状の止水部材が内層と外層の２層で構成されており、内層の内周面よりも外層の外周面の摩擦係数が小さい場合には、摩擦係数の大きい内層の内周面により管状の止水部材と被覆電線の絶縁被覆との間の密着性を確保しつつ、摩擦係数の小さい外層の外周面により、被覆電線の電線接続部内への挿入時に、管状の止水部材の外周面と電線接続部の内周面との間の摩擦力が低減されて、電線接続部内に被覆電線を挿入しやすくできる。
【００２０】
また、管状の止水部材の内周面に、全周に渡って連続する突条が形成されていれば、管状の止水部材の内周面においてこの突条に応力が集中しやすくなり、管状の止水部材の内周面と被覆電線の絶縁被覆の外周面との密着性を向上できる。これにより、さらに防水性能が向上する。
【図面の簡単な説明】
【００２１】
【図１】本発明の第一実施形態に係る端子付き電線の模式図であり、その一部が断面で表された図である。
【図２】本発明の第二実施形態に係る端子付き電線の一部の拡大模式図であり、その一部が断面で示された図である。
【図３】本発明の第三実施形態に係る端子付き電線の管状の止水部材の斜視図である。
【図４】本発明の端子付き電線の端子が挿入されるハウジングの斜視図である。
【図５】本発明の第三実施形態に係る端子付き電線の端子がハウジングに挿入された状態を表す模式図であり、その一部が断面で示された図である。
【図６】本発明の第四実施形態に係る端子付き電線の管状の止水部材の模式図である。
【図７】本発明の第五実施形態に係る端子付き電線の管状の止水部材の模式図である。
【図８】本発明の第一実施形態に係る端子付き電線の一部の軸方向断面図である。
【図９】第一実施形態に係る管状の止水部材の被覆収容部への挿入状態が別形態である模式図であり、その一部が断面で表された図である。
【発明を実施するための形態】
【００２２】
本発明の実施形態について図面を用いて詳細に説明する。
【００２３】
図１は、本発明の第一実施形態に係る端子付き電線の模式図であり、端子金具の部分が断面で示された図である。図１に示すように、本発明の第一実施形態に係る端子付き電線１０は、被覆電線１２と、端子金具１４と、管状の止水部材１６と、を備えている。
【００２４】
被覆電線１２は、導体１８と、導体１８の外周を覆って導体１８を絶縁する絶縁被覆２０とを備えている。導体１８は、複数本の金属素線を撚り合わせてできる撚線など、複数本の金属素線で構成されるものであっても良いし、単芯の金属線であっても良い。導体１８の材料としては、アルミニウム、銅、これらの合金などを挙げることができる。これらの金属よりなる導体１８には、さらに錫、ニッケルなどの金属によりめっきが施されていても良い。絶縁被覆２０は、絶縁性の高分子材料で構成されている。高分子材料としては、ポリオレフィン、塩化ビニル樹脂などを挙げることができる。これらの高分子材料には、必要に応じて、充填剤、難燃剤、顔料などの着色剤などの各種添加剤が添加されていても良い。
【００２５】
被覆電線１２は、端末で絶縁被覆２０が皮剥ぎされており、端末に導体露出部１８ａを有している。導体露出部１８ａは、被覆電線１２における端子金具１４に接触される部分であり、端子金具１４との電気接続を図る部分である。
【００２６】
端子金具１４は、被覆電線１２の導体露出部１８ａとの電気接続を図る部分となる電線接続部２２と、相手端子に嵌合接触されて相手端子との電気接続を図る部分となる相手端子接続部２４と、を備えている。電線接続部２２は、一端が封止された封止部２２ａとなり他端が開口された開口部２２ｂとなる筒状で構成されている。相手端子接続部２４は、その一端の封止部２２ａから延設されている。
【００２７】
電線接続部２２は、軸方向の中間部分に、内径および外径の大きさが変化する段差部２２ｃを有しており、この段差部２２ｃよりも封止部２２ａ側の小径部分が、被覆電線１２の導体露出部１８ａが収容される導体収容部２６で、この段差部２２ｃよりも開口部２２ｂ側の大径部分が、導体露出部１８ａに隣接する絶縁被覆２０ａが収容される被覆収容部２８である。被覆収容部２８の開口部２２ｂ側には、被覆電線１２の挿入を誘導しやすいように、開口端から挿入方向の奥に向かって徐々に内径が小さくなるように内周面が傾斜されたテーパ２８ａを有している。電線接続部２２では、被覆収容部２８より導体収容部２６の内径を小さくすることにより、電線接続部２２の内周面と導体露出部１８ａの外周面との隙間を小さくして、電線接続部２２の内周面と導体露出部１８ａとの密着性および電線接続部２２の内周面と絶縁被覆２０との密着性をともに高めるようにしている。
【００２８】
端子金具１４の材料としては、銅、アルミニウム、これらの合金などを挙げることができる。これらの金属よりなる端子金具１４には、さらに錫、ニッケルなどの金属によりめっきが施されていても良い。
【００２９】
管状の止水部材１６は、被覆電線１２の導体露出部１８ａに隣接する絶縁被覆２０ａの外周に装着するものである。管状の止水部材１６の内径は絶縁被覆２０の外径よりもやや小さくなっており、管状の止水部材１６が装着されたときに絶縁被覆２０が管状の止水部材１６により外側から締め付けられることで、管状の止水部材１６が絶縁被覆２０の外周面に密着されている。
【００３０】
被覆電線１２の端末は、管状の止水部材１６が絶縁被覆２０の外周面に密着された状態で、電線接続部２２の開口側から挿入されている。管状の止水部材１６の外径は電線接続部２２の被覆収容部２８の内径よりもやや大きくなっており、被覆電線１２の端末は、管状の止水部材１６が全周に渡って電線接続部２２の被覆収容部２８に圧入されるまで、電線接続部２２に挿入される。これにより、電線接続部２２の内側において、導体露出部１８ａが導体収容部２６に、導体露出部１８ａに隣接する絶縁被覆２０ａが被覆収容部２８にそれぞれ収容される。また、管状の止水部材１６は、全周に渡って電線接続部２２の被覆収容部２８の内周面に密着される。
【００３１】
上記観点から、管状の止水部材１６の材料は、伸びのあるゴム、エラストマーなどの高分子材料が好ましい。このような材料としては、シリコーンゴムなどを挙げることができる。これらの高分子材料には、必要に応じて、充填剤、難燃剤、顔料などの着色剤などの各種添加剤が添加されていても良い。
【００３２】
以上の構成の端子付き電線１０によれば、端子金具１４の筒状の電線接続部２２の内側で、端子金具１４と被覆電線１２の導体露出部１８ａとの接触が図られる。そして、導体露出部１８ａの先端が配置される筒状の電線接続部２２の一端は封止部２２ａにより封止されているため、電線接続部２２の先端側からの電線接続部２２の内側への水の進入が防止されている。また、筒状の電線接続部２２の他端は開口部２２ｂにより開口されているが、導体露出部１８ａに隣接する絶縁被覆２０ａの外周面に密着された管状の止水部材１６が全周に渡って電線接続部２２の内周面に密着されているため、電線接続部２２の後端側からの電線接続部２２の内側への水の進入も防止されている。このような構造により、端子金具１４と被覆電線１２の導体１８との接触部への水の進入が抑えられているため、接触部の腐食を防止する効果に優れる。また、防食剤を塗布するものではないため、防食剤を塗布する工程を省略できるため、製造コストを抑えることができる。
【００３３】
端子付き電線１０は、端子金具１４と被覆電線１２の導体１８との接触部への水の進入を抑える効果を奏することから、端子金具１４と被覆電線１２の導体１８とがともに銅よりなる場合など、これらが同種の金属よりなる場合においても、接触部の腐食を防止する効果に優れるが、例えば、端子金具１４が銅よりなり、被覆電線１２の導体１８がアルミニウムよりなる場合など、これらが異種の金属よりなる場合において、特に接触部の腐食を防止する効果に優れる。
【００３４】
次に、第二実施形態に係る端子付き電線について図２を用いて説明する。図２は、第二実施形態に係る端子付き電線の一部の拡大模式図であり、端子の部分が断面で示された図である。第二実施形態に係る端子付き電線１１０は、第一実施形態に係る端子付き電線１０と同様、基本的構成として、被覆電線１２と、端子金具１４と、管状の止水部材３０と、を備えている。
【００３５】
第二実施形態に係る端子付き電線１１０は、第一実施形態に係る端子付き電線１０とは、管状の止水部材３０の構造が異なる点で相違している。これ以外の構成については、第一実施形態に係る端子付き電線１０と同様である。第一実施形態に係る端子付き電線１０と共通の構成については説明を省略する。
【００３６】
第二実施形態の管状の止水部材３０の外周面には、全周に渡って連続する突部３０ａが形成されている。この突部３０ａは、被覆電線１２の端末の電線接続部２２への挿入長さを決定する目印となるものであり、この突部３０ａを目印にして、この突部３０ａの手前まで、管状の止水部材３０が全周に渡って電線接続部２２の被覆収容部２８に圧入されている。これにより、管状の止水部材３０の外周面と電線接続部２２の被覆収容部２８の内周面とが確実に密着していることを確認できるため、確実に、電線接続部２２の内側への水の進入を防止できる。
【００３７】
また、この突部３０ａの手前まで管状の止水部材３０が被覆収容部２８に圧入されていることから、この突部３０ａによって、被覆収容部２８の開口部２２ｂと管状の止水部材３０の外周面との接触界面の一部が覆われ、水の浸入口が狭くなっている。そのため、この接触界面からの水の浸入をより抑えることができる。なお、突部３０ａの形成位置は、軸方向の中間にあるのであれば、中央位置であっても良いし、例えば後端寄りの位置など、中央位置ではなくても良い。
【００３８】
次に、第三実施形態に係る端子付き電線について図３〜５を用いて説明する。図３は、第三実施形態に係る端子付き電線の管状の止水部材の斜視図である。図４は、本発明の端子付き電線の端子金具が挿入されるハウジングの斜視図である。図５は、本発明の第三実施形態に係る端子付き電線の端子がハウジングに挿入された状態を表す模式図であり、端子の部分およびハウジングの部分が断面で示された図である。第三実施形態に係る端子付き電線２１０は、第一実施形態に係る端子付き電線１０と同様、基本的構成として、被覆電線１２と、端子金具１４と、管状の止水部材４０と、を備えている。
【００３９】
第三実施形態に係る端子付き電線２１０は、第一実施形態に係る端子付き電線１０とは、管状の止水部材４０の構造が異なる点で相違している。これ以外の構成については、第一実施形態に係る端子付き電線１０と同様である。第一実施形態に係る端子付き電線１０と共通の構成については説明を省略する。
【００４０】
図４に示すように、端子付き電線２１０の端子金具１４を収容するハウジング５０は、直方体の外形を有しており、対向する面間を貫通する複数のキャビティ５２を備えている。このキャビティ５２の開口部は矩形状である。
【００４１】
図３に示すように、第三実施形態の管状の止水部材４０の後端には、このキャビティの開口部の形状に合わせて、断面が矩形状の封鎖部４４が延設形成されている。この封鎖部４４は、管状の止水部材４０の本体部４２の内側にある孔部４６に連通する連通孔４８を内側に備えており、封鎖部４４の内側にも被覆電線１２が通される。また、管状の止水部材４０の本体部４２の外周面には、第二実施形態の管状の止水部材３０と同様、全周に渡って連続する突部４２ａが形成されている。
【００４２】
図５に示すように、第三実施形態の管状の止水部材４０は、第二実施形態の管状の止水部材３０と同様、この突部４２ａを目印にして、この突部４２ａの手前まで、管状の止水部材４０が全周に渡って電線接続部２２の被覆収容部２８に圧入されている。そして、第三実施形態の端子付き電線２１０は、端子金具１４を先端にしてハウジング５０のキャビティ５２内に挿入され、管状の止水部材４０の封鎖部４４がハウジング５０のキャビティ５２の開口部に圧入されている。これにより、ハウジング５０の内側への水の進入も同時に防止できる。したがって、第三実施形態の端子付き電線２１０によれば、電線接続部２２の被覆収容部２８での防水と、ハウジング５０のキャビティ５２での防水との二重の防水構造により、電線接続部２２の内側への水の進入を防止する効果をさらに高めることができる。
【００４３】
次に、第四実施形態に係る端子付き電線について図６を用いて説明する。図６は、第四実施形態に係る端子付き電線の管状の止水部材の模式図である。第四実施形態に係る端子付き電線は、第一実施形態に係る端子付き電線１０と同様、基本的構成として、被覆電線１２と、端子金具１４と、管状の止水部材６０と、を備えている。
【００４４】
第四実施形態に係る端子付き電線は、第一実施形態に係る端子付き電線１０とは、管状の止水部材６０の構造が異なる点で相違している。これ以外の構成については、第一実施形態に係る端子付き電線１０と同様である。第一実施形態に係る端子付き電線１０と共通の構成については説明を省略する。
【００４５】
第四実施形態の管状の止水部材６０は、軸方向の先端側Ａと後端側Ｂとで色彩が異なるように二色成形されたものである。色彩の境界線６２は、被覆電線１２の端末の電線接続部２２への挿入長さを決定する目印となるものである。この色彩の境界線６２を目印にして、この色彩の境界線６２の手前まで、あるいは、色彩の境界線６２まで、管状の止水部材６０が全周に渡って電線接続部２２の被覆収容部２８に圧入されている。これにより、管状の止水部材６０の外周面と電線接続部２２の被覆収容部２８の内周面とが確実に密着していることを確認できるため、確実に、電線接続部２２の内側への水の進入を防止できる。
【００４６】
管状の止水部材６０において、色彩の境界線６２の位置は、軸方向の中間にあるのであれば、中央位置であっても良いし、例えば後端寄りの位置など、中央位置ではなくても良い。
【００４７】
第四実施形態の管状の止水部材６０は、例えば、二色成形することにより製造できる。
【００４８】
次に、第五実施形態に係る端子付き電線について図７を用いて説明する。図７は、第五実施形態に係る端子付き電線の管状の止水部材の模式図である。第五実施形態に係る端子付き電線は、第一実施形態に係る端子付き電線１０と同様、基本的構成として、被覆電線１２と、端子金具１４と、管状の止水部材７０と、を備えている。
【００４９】
第五実施形態に係る端子付き電線は、第一実施形態に係る端子付き電線１０とは、管状の止水部材７０の構造が異なる点で相違している。これ以外の構成については、第一実施形態に係る端子付き電線１０と同様である。第一実施形態に係る端子付き電線１０と共通の構成については説明を省略する。
【００５０】
第五実施形態の管状の止水部材７０は、内層７２と外層７４の２層で構成されている。内層７２の内周面は、被覆電線１２の絶縁被覆２０の外周面に密着させる面であり、管状の止水部材７０と絶縁被覆２０との十分な密着性を確保するため、内層７２の材料には摩擦係数を大きくする材料を用いる。一方、外層７４の外周面は、端子金具１４の電線接続部２２の被覆収容部２８の内周面に密着させる面であるとともに、管状の止水部材７０を密着させた被覆電線１２を端子金具１４の電線接続部２２に挿入する際には、被覆収容部２８の内周面に対して摺動される面である。被覆電線１２の電線接続部２２内への挿入時に、管状の止水部材７０の外周面と電線接続部２２の内周面との間の摩擦力が低減されて、電線接続部２２内に被覆電線１２を挿入しやすくできるなどの観点から、外層７４の材料には摩擦係数を小さくする材料を用いる。
【００５１】
すなわち、第五実施形態の管状の止水部材７０では、内層７２の内周面よりも外層７４の外周面の摩擦係数が小さくなっている。これにより、管状の止水部材７０と被覆電線１２の絶縁被覆２０との間の密着性を確保しつつ、電線接続部２２内に被覆電線１２を挿入しやすくできる。
【００５２】
内層７２の材料としては、外層７４の材料よりも摩擦係数を大きくする材料として、外層７４の材料よりも硬い材料を用いることが好ましい。一方、外層７４の材料としては、内層７２の材料よりも軟らかい材料を用いることが好ましい。これにより、内層７２の内周面よりも外層７４の外周面を滑りやすくできる。
【００５３】
硬度は、ＪＩＳ  Ｋ６２５３に準拠して、例えばスプリング式の硬度計を用いて測定することができる。
【００５４】
内層７２の材料としては、具体的には、ニトリルゴム（ＮＢＲ）などを挙げることができる。
【００５５】
外層７４の材料としては、具体的には、シリコーンゴムなどを挙げることができる。
【００５６】
第五実施形態の管状の止水部材７０は、例えば、二色成形により製造できる。
【００５７】
以上、本発明の実施の形態について詳細に説明したが、本発明は上記実施の形態に何ら限定されるものではなく、本発明の要旨を逸脱しない範囲で種々の改変が可能である。
【００５８】
例えば各実施形態においては、管状の止水部材の内周面には、全周に渡って連続する突条が形成されていても良い。図８を用いて、第一実施形態に係る端子付き電線１０に適用した場合について具体的に説明すると、管状の止水部材１６の内周面には、全周に渡って連続するリング状の突条８２が形成されている。これにより、管状の止水部材１６の内周面においてこの突条８２に応力が集中しやすくなり、管状の止水部材１６の内周面と被覆電線１２の絶縁被覆２０の外周面との密着性を向上できる。このため、さらに防水性能が向上する。
【００５９】
図８に示すように、突条８２は、軸方向に複数本存在していても良いし、軸方向に１本のみ存在していても良い。突条８２が軸方向に複数本存在している場合には、管状の止水部材１６の内周面と被覆電線１２の絶縁被覆２０の外周面との間に、密着性に優れる止水壁が複数段形成されることになるため、より一層、防水性能に優れる。
【００６０】
第一実施形態では、被覆電線１２の端末は、管状の止水部材１６の軸方向の全体が、全周に渡って電線接続部２２の被覆収容部２８に圧入されており、管状の止水部材１６の軸方向の全体が、全周に渡って電線接続部２２の被覆収容部２８の内周面に密着されているが、図９に示すように、管状の止水部材１６には、電線接続部２２の被覆収容部２８に圧入されていない部分が存在し、被覆電線１２の端末は、管状の止水部材１６の軸方向の一部が、全周に渡って電線接続部２２の被覆収容部２８に圧入され、管状の止水部材１６の軸方向の一部が、全周に渡って電線接続部２２の被覆収容部２８の内周面に密着されていても良い。この場合には、管状の止水部材１６が被覆収容部２８に圧入されることから、被覆収容部２８の開口部２２ｂで管状の止水部材１６に段差が生じるため、被覆収容部２８の開口部２２ｂでの管状の止水部材１６と被覆収容部２８との密着性がさらに高まる。このとき、図９に示すように、被覆収容部２８の開口部２２ｂに、図１に示すようなテーパ２８ａが形成されていないものでは、管状の止水部材１６と被覆収容部２８との密着性がより一層高まる。
【００６１】
第二実施形態の管状の止水部材３０の外周面には、全周に渡って連続するリング状の突部３０ａ（いわゆる突条）が形成されているが、全周に渡って連続していない突部であっても良い。また、第二実施形態では、突部３０ａの手前まで、管状の止水部材３０が全周に渡って電線接続部２２の被覆収容部２８に圧入されているが、突部３０ａまで被覆収容部２８に圧入されていても良い。
【００６２】
端子金具１４の相手端子接続部２４は、筒状のいわゆるメス型であるが、タブ状のいわゆるオス型のものであっても良い。また、電線接続部２２は円筒状であるが、これに限定されるものではなく、角筒状であっても良い。さらに、電線接続部２２の開口部２２ｂにはテーパが形成されていなくても良い。
【符号の説明】
【００６３】
１０  端子付き電線
１２  被覆電線
１４  端子金具
１６  管状の止水部材
１８ａ  導体露出部
２０ａ  絶縁被覆
２２  電線接続部
【図１】
2012094307.tif 000003
【図２】
2012094307.tif 000004
【図３】
2012094307.tif 000005
【図４】
2012094307.tif 000006
【図５】
2012094307.tif 000007
【図６】
2012094307.tif 000008
【図７】
2012094307.tif 000009
【図８】
2012094307.tif 000010
【図９】
2012094307.tif 000011